(57)【要約】      （修正有）【課題】墓誌の着脱の容易性と地震時の倒壊防止効果を有する墓誌固定構造を提供する。【解決手段】墓石上に墓誌を設ける場合において、墓誌を、必要文字を表した墓誌板１と、該墓誌板１を保持固定するための墓誌板保持体３との組みあわせとし、墓石上に固定される墓誌板保持体３に対し墓誌板１を、墓誌板保持体３と墓誌板１とに設けた孔を一致させて該孔を用いてボルト１２とナットとの螺合による螺着方式にて着脱可能に構成した。【選択図】図８
0003221572.tif 000002
【実用新案登録請求の範囲】
【請求項１】
墓石上に墓誌を設ける場合において、墓誌を、必要文字を表した墓誌板と、該墓誌板を保持固定するための墓誌板保持体との組みあわせとし、墓石上に固定される墓誌板保持体に対し墓誌板を取り付ける手段として、墓誌板保持体と墓誌板とに設けた孔を一致させて該孔を用いてボルトとナットとの螺合による螺着方式にて着脱可能に構成したことを特徴とする着脱型墓誌固定構造。
【請求項２】
墓誌板を設けるとともに、該墓誌板下部に少なくとも２箇所のボルト挿通孔を穿設し、一方、上記墓誌板が挿入可能なる墓誌板挿入部を有する墓誌板保持体としての墓誌台を設けるとともに、該墓誌台の一方の側面にボルト挿通孔を他方の側面につまみ挿入孔を設け、ボルト頭部を内蔵したボルト側つまみと、ナットを内蔵したナット側つまみを設け、墓誌台に挿入された墓誌板を双方のつまみの螺着および螺着解除にて、墓誌台に対し墓誌板を着脱可能に構成したことを特徴とする請求項１記載の着脱型墓誌固定構造。
【請求項３】
ボルト側つまみに金属製ボルト、ナット側つまみに金属製ナットを用いてなる請求項２記載の着脱型墓誌固定構造。
【請求項４】
墓誌台の墓誌板挿入部底面中央に排水誘導凹部を形成してなる請求項２または３記載の着脱型墓誌固定構造。
【請求項５】
墓誌台の墓誌板挿入部底面中央に、凍結による破損防止のための水抜き孔を穿設するとともに、墓誌台の側面視長手方向中央下面に水抜き溝を設け、該水抜き孔と水抜き溝とを連通させてなる請求項３記載の着脱型墓誌固定構造。
【請求項６】
墓誌板をその裏面に凹部を有する石板とし、墓誌板保持体を、設置面より斜方に立ち上がる平板部を有する石板とし、該保持体の一方の面に墓誌板保持部としての凹部を設け、一方、墓誌板と墓誌板保持体に各々複数個の孔を穿設するとともに、墓誌板保持部に墓誌板を挿入したときに、各孔位置が一致するものとして、ボルト頭部を内蔵したボルト側つまみとナットを内蔵したナット側つまみを設け、上記の孔を用いて双方のつまみの螺着および螺着解除にて、墓誌板保持体に対し墓誌板を着脱可能に構成してなる請求項１記載の着脱型墓誌固定構造。
【請求項７】
墓誌板保持体の墓誌板保持部下方に，円弧形凹部を設けてなる請求項６記載の着脱型墓誌固定構造。
【請求項８】
墓誌板保持体の下部に上方突出部を設け、該上方突出部を設けることにて、墓誌板と該上方突出部との間に間隙を生じさせ、この間隙にくさびを打ち込むことにより墓誌下部を墓誌板保持体に固定するものとした、請求項６記載の着脱型墓誌固定構造。
【考案の詳細な説明】
【技術分野】
【０００１】  この考案は、墓誌の新規なる固定構造に関する。
【背景技術】
【０００２】  従来より、墓誌は墓に必須なものとして墓石に固定されているが、その固定方法としてはコーキングまたはくさびによる固定しかなく、本案にて示すように、螺着による固定手段は見当たらない。
【考案の概要】
【考案が解決しようとする課題】
【０００３】  墓誌は没年月日、戒名・俗名、などを彫刻するためのもので、通常は長方形所定厚の石板が用いられ、コーキング処理またはくさびにて立設固定される。新たに墓誌に文字を彫刻する場合は、この墓誌を取り外して持ち帰り、必要事項を刻んで後、再びその墓へ持参してコーキング処理またはくさびにて固定する方法が用いられており、耐震性を考慮すれば多くの時間と手間を要し、くさびなどで取り外しを簡素化すれば地震などによる墓誌の倒壊の恐れがある。
本案は以上に鑑み、上記の問題を解決するために螺着による新規な墓誌固定構造を提供することを目的として発案されたものである。
【課題を解決するための手段】
【０００４】  課題を解決する手段として本案は以下の構成とした。
すなわち、墓石上に墓誌を設ける場合において、墓誌を、必要文字を表した墓誌板と、該墓誌板を保持固定するための墓誌板保持体との組みあわせとし、墓石上に固定される墓誌板保持体に対し墓誌板を、墓誌板保持体と墓誌板とに設けた孔を一致させて該孔を用いてボルトとナットとの螺合による螺着方式にて着脱可能に構成する。
本案は以上の構成よりなる着脱型墓誌固定構造である。
【考案の効果】
【０００５】  本案によれば、従来法のように墓誌板を直接固定する方法と異なり、墓誌板保持体に墓誌板を螺着にて固定するので、墓誌板の着脱が容易となって、墓誌への追加彫刻の際の手間と作業時間を少なくすることができる。また、墓誌板より幅広の墓誌板保持体を芝台上に固着するので、地震による墓誌板倒壊の恐れを極小とすることができる。
【図面の簡単な説明】
【０００６】
【図１】本考案の墓誌板の正面図
【図２】本考案の墓誌台の平面図
【図３】Ａ−Ａ断面図
【図４】本考案の墓誌台の拡大右側面図
【図５】本考案の墓誌板と墓誌台との組みあわせ説明図（正面視）
【図６】本考案の墓誌板と墓誌台との組みあわせ説明図（右側面視）
【図７】本考案の要部構造説明図
【図８】本考案の全体斜視図
【図９】本考案の他例の正面図
【図１０】本考案の他例の左側面図
【図１１】Ｂ−Ｂ断面図
【図１２】本考案の要部構造説明図
【図１３】本考案の全体斜視図
【図１４】本考案の変化例の説明図
【図１５】本考案の変化別例の斜視図
【図１６】本考案の変化別例の側面図
【考案を実施するための形態】
【０００７】  以下、本考案の実施形態について説明する。
図において、１は墓誌板で、略正方形状所定厚の石板であり、その下方に２箇所のボルト挿通孔２が穿設される。３は側面視略コ字形の石材による墓誌板保持体としての墓誌台で、以下の構成である。４は墓誌板挿入部で、角形凹部である。５は排水誘導凹部で、墓誌台の長手方向に延びるゆるやかな円形凹部である。６は凍結による破損防止のための円形孔による水抜き孔、７は水抜き溝で、墓誌台の底面長手方向に設けられる半円形の溝である。８はつまみ挿入孔で、円形孔である。
なお、この墓誌台にもボルト挿通孔９が穿設される。
１０はボルト側つまみで、石材により形成された短円柱形物体に非貫通円形穴を設け、この円形穴内に所定長の六角ボルト１１の頭部を挿入後、接着剤にてこのつまみとボルト頭部とを固着して形成される。１２はナット側つまみで、その中央に所定深さのつまみ穴１３を設け、この穴に続くより大径の穴が設けられ、この大径の穴内にナット１４が挿入固着される。
【０００８】  以上の構成から、図に示すように墓誌台の墓誌板挿入部内に墓誌板を上から挿入すると、墓誌板底面は墓誌挿入部の排水誘導凹部を除く面上に乗り、このとき、ボルト挿通孔２と９は一致し、ここにボルト側つまみの雄ネジ部が挿通して、反対側の墓誌板側面より突出する。つまみ挿入孔よりナット側つまみを挿入すると、このつまみのナットにボルト先が当接するので、このナット側つまみを回してボルトの雄ネジとナットの雌ネジを螺合させて締め込むことにて墓誌板を墓誌台に固定することができる。
なお、この墓誌台は芝台上にコーキングにて固定される。
【０００９】  図９から図１３は本案の他例を示すものである。
図において、２０は墓誌板保持体である。この墓誌板保持体は所定厚略長方形状の石材であり、その下部には突出部２１が一体に形成される。突出部下面に対し上方へ向かって斜方に平板部２２が立ち上がっている。２３は墓誌板保持部で、図１１にて示すように墓誌板が挿入可能なサイズの長方形凹部である。２４は排水誘導溝で、墓誌板保持体に設けた上記凹部の下端から両側方に向けて刻設される所定巾の溝である。
２５は墓誌板で、必要文字が彫刻されており、その裏面には長方形の凹部が設けられる。
上記の墓誌板保持体に墓誌板は以下の要領で螺着固定される。
【００１０】  図１２にて示すように，墓誌板保持体と墓誌板には各々４個の孔が穿設され、これらの孔は墓誌板保持体の凹部内に墓誌板を挿入したとき、互いにその位置は一致する。
この孔を用いて該保持体と墓誌板は螺着固定される。この螺着固定には専用のつまみ、ボルト側つまみ２６とナット側つまみ２７が用いられる。
ボルト側つまみは初例同様に、石材に設けた非貫通円形穴にボルト２８の頭部を挿入して接着固定にて設けられる。ナット側つまみは、上記ボルト側つまみと同様にてナット２９が挿入されて接着固定されるが、ボルトとナットが螺合したときに、ボルト先に余裕を持たせるためにナット内にて若干の空隙３０が形成されるように，ボルトの雄ネジ長が選択される。
【００１１】  墓誌板保持体下面は墓石上にコーキング等の手段にて固着されるが、既述のように突出部下面に対して上部は非墓誌板保持部側に斜方に位置している。これは、墓誌板の着脱時に、ボルトとナットの螺合を解除したときに、墓誌板が不用意に倒れて落下破損することを防止するために設けたものである。
また、墓誌板保持体下部両側に排水誘導溝を設けたので、本例構成に降りかかった雨水等をこの誘導溝から排出させることができる。
【００１２】  図１４は本案の変化例を示すもので、墓誌板保持体の下部で墓誌板の直下中央の位置に円弧形凹部３１を設けたものである。これは、墓誌板を外すときに，ここに指をあてがって墓誌板下面を支えることにて、外した墓誌板を安定的に移動させるためのものである。
また、既述のように墓誌板裏面には凹部があり、枠状になっているのでここに指をかけて墓誌板上部を支えることができる。従って、墓誌板の上下部を支えて容易に運ぶことができる。
【００１３】  図１５と図１６は，本案の変化別例を示すもので、くさびによって墓誌板下部を固定するものである。図において、４０は墓誌板保持体で、既例同様に上方へ斜方に立ち上がる平板部を有している。墓誌板４１は前例同様のもので墓誌板保持体の凹部に挿入され、その上部は既例のごとくボルトとナットにて螺着される。
本例では墓誌板保持体の前方下部に，上方へ立ち上がる上方突出部４２を設けて、この上方突出部と挿入された墓誌板との間にくさび用溝４３を形成している。４４はくさびで、木、合成樹脂、石材などにより側面視略三角形状に形成される所定巾の小物体である。
【００１４】  使用時は、まず墓誌板保持体の凹部に墓誌板を挿入する。次に、既例同様にボルトとナットにて墓誌板保持体に対し墓誌板を固定する。それから図のごとく２個のくさびをくさび用溝に上から差し込み、木槌などでこのくさびの上部をたたいてくさびを固定する。
墓誌板を外すときは、くさび上部を横からたたくことにてくさびを外し、ナットを外すことにて墓誌板を容易に外すことができる。なお、上記のくさび用溝は、排水誘導溝としても機能する。
【００１５】  以上、本案について記したが、本案は墓誌板を螺着固定構造にて墓誌板保持体に固定するところにその特徴を有するものである。従来は戒名等を彫刻する度に墓誌を墓石から外して工場に持ち帰って加工するために、外しやすいように簡単に固定する（コーキングを一部のみ付ける等）ため、地震等では倒壊することが多かったのであるが、本案では墓誌板保持体への螺着固定構造としたので、墓誌を楽に外して持ち帰ることができるとともに、上記倒壊の恐れもないものとなったのである。
本案初例では、墓誌台内面に排水誘導凹部を設けており、またこの排水誘導凹部に連通する水抜き孔と水抜き溝を設けたので、雨天により墓誌板に付いた水滴をガイドして外部へとスムースに排出することができる。また、排水誘導凹部を設けたことにより、墓誌板下面と墓誌台の墓誌板挿入部底面との接触面積は減少して、墓誌板挿入部底面の加工不良によるがたつきや不安定載置を防止することができる。
【００１６】  本案他例では、初例に比べて薄型軽量の墓誌板としたので、墓誌板の運搬移動およびその着脱もより容易となっている。
なお、既述のボルトは金属製であるが、このボルトおよびナットを石材で覆うので、墓誌板保持体とは視覚的に違和感のないものとなる。また、各つまみ外周に、つまみ先端から後部に向かう溝を連設することにて，つまみと指がなじんで回しやすいものとなる。
なお、つまみとして通常のボルトとナットを露出させて用いても効果は同一である。
以上のごとく、本案によって墓誌への彫刻時における墓誌板着脱を容易とし、かつ地震時における墓誌倒壊を防止できる有用なる墓誌固定構造を得ることができる。
【符号の説明】
【００１７】１    墓誌板
２    ボルト挿通孔
３    墓誌台
４    墓誌板挿入部
５    排水誘導凹部
６    水抜き孔
７    水抜き溝
８    つまみ挿入孔
９    ボルト挿通孔
１０  ボルト側つまみ
１１  六角ボルト
１２  ナット側つまみ
１３  つまみ穴
１４  ナット
２０  墓誌板保持体
２１  突出部
２２  平板部
２３  墓誌板保持部
２４  排水誘導溝
２５  墓誌板
２６  ボルト側つまみ
２７  ナット側つまみ
２８  ボルト
２９  ナット
３０  空隙
３１  円弧形凹部
４０  墓誌板保持体
４１  墓誌板
４２  上方突出部
４３  くさび用溝
４４  くさび
【図１】
0003221572.tif 000003
【図２】
0003221572.tif 000004
【図３】
0003221572.tif 000005
【図４】
0003221572.tif 000006
【図５】
0003221572.tif 000007
【図６】
0003221572.tif 000008
【図７】
0003221572.tif 000009
【図８】
0003221572.tif 000010
【図９】
0003221572.tif 000011
【図１０】
0003221572.tif 000012
【図１１】
0003221572.tif 000013
【図１２】
0003221572.tif 000014
【図１３】
0003221572.tif 000015
【図１４】
0003221572.tif 000016
【図１５】
0003221572.tif 000017
【図１６】
0003221572.tif 000018